(57)【特許請求の範囲】
【請求項１】
テープカッターに装着する粘着テープのテープ切断部を挟持する一対の左右側板のそれぞれの内面に円筒状フランジを一体に突出し、この円筒状フランジ同志を互いに嵌合することにより大径粘着テープを支持する大径テープ保持部を備えたテープカッター本体であって、
前記テープ切断部と前記大径テープ保持部との中間で、かつ前記テープ切断部より下方に小径粘着テープを回転自在に支持する小径テープ保持部を配設し、
前記円筒状フランジの前半周の上下を切欠いて円弧状フランジを形成し、前記円筒状フランジ同志が嵌合することにより上下の前記切欠きが上挿通孔と下挿通孔になり、前記小径粘着テープが前記上挿通孔と前記下挿通孔を前記小径粘着テープが通過し、前記円弧状フランジが前記小径粘着テープを支持する前記小径テープ保持部になることを特徴とする手持ち式テープカッター。
【請求項２】
前記小径粘着テープに作用する張力により前記小径粘着テープの内周面が前記円弧状フランジの一端に当接するように前記上方挿通孔と前記下方挿通孔を開口したことを特徴とする請求項１に記載の手持ち式テープカッター。
【請求項３】
一対の前記左右側板間に挟持される前記切断部が、後方下向きに傾斜したテープセット面を有するベース板と、鋸刃状のテープ切断刃と、このテープ切断刃を前記テープセット面に向かい移動させる可動板と、よりなるループ状つまみ作成機能を備えることを特徴とする請求項１又は２に記載の手持ち式テープカッター。
【発明の詳細な説明】
【技術分野】
【０００１】
この発明は、大径粘着テープの装着のみではなく、大径粘着テープから小径粘着テープの装着に取り換えることができる手持ち式テープカッターに関する。
【背景技術】
【０００２】
一面に粘着剤が塗布されたテープは、家庭用、事務用、商業用、工業用等の各種用途に広く汎用されている。特に、商店・百貨店・スーパー等での買物の商品包装の封、書類・図面等の一時的位置決め、ポスター・表等の掲示等であり、これらの使用において、大径粘着テープと小径粘着テープとを使い分けるため、二種類のテープカッターを準備することになる。
【０００３】
通常のテープカッターとしては、卓上式テープカッターと手持ち式のテープカッターがあり、卓上式テープカッターには大径粘着テープが装着され、手持ち式テープカッターには小径粘着テープが装着されることが多い。
特に、手持ちテープカッターにおいては、小型、軽量にするためテープ切断刃とテープ保持部を近接配設するなどの各種の技術があった。
【先行技術文献】
【特許文献】
【０００４】
【特許文献１】特開平８−２１７３１６号公報
【特許文献２】特開平１０−１２９９１９号公報
【発明の概要】
【発明が解決しようとする課題】
【０００５】
ところで、従来の手持ち式テープカッターにおいて、大径粘着テープを装着するためのテープ保持部と、小径粘着テープを装着するためのテープ保持部との両方を設けると、テープカッターが大型化することになり、これに対して、小型化を図るために余分なスペースをなくすようにすると、テープ切断機能が低下するなどの問題があった。
【０００６】
この発明は、かかる実情に鑑みてなされたもので、大径粘着テープの装着のみではなく、大径粘着テープから小径粘着テープの装着に取り換えることが簡単な構造で、容易にできる手持ち式テープカッターを提供することを目的としている。
【課題を解決するための手段】
【０００７】
前記課題を解決し、かつ目的を達成するために、この発明は、以下のように構成した。
【０００８】
請求項１に記載の発明は、テープカッターに装着する粘着テープのテープ切断部を挟持する一対の左右側板のそれぞれの内面に円筒状フランジを一体に突出し、この円筒状フランジ同志を互いに嵌合することにより大径粘着テープを支持する大径テープ保持部を備えたテープカッター本体であって、
前記テープ切断部と前記大径テープ保持部との中間で、かつ前記テープ切断部より下方に小径粘着テープを回転自在に支持する小径テープ保持部を配設し、
前記円筒状フランジの前半周の上下を切欠いて円弧状フランジを形成し、前記円筒状フランジ同志が嵌合することにより上下の前記切欠きが上挿通孔と下挿通孔になり、前記小径粘着テープが前記上挿通孔と前記下挿通孔を前記小径粘着テープが通過し、前記円弧状フランジが前記小径粘着テープを支持する前記小径テープ保持部になることを特徴とする手持ち式テープカッターである。
【０００９】
請求項２に記載の発明は、前記小径粘着テープに作用する張力により前記小径粘着テープの内周面が前記円弧状フランジの一端に当接するように前記上方挿通孔と前記下方挿通孔を開口したことを特徴とする請求項１に記載の手持ち式テープカッターである。
【００１０】
請求項３に記載の発明は、一対の前記左右側板間に挟持される前記切断部が、後方下向きに傾斜したテープセット面を有するベース板と、鋸刃状のテープ切断刃と、このテープ切断刃を前記テープセット面に向かい移動させる可動板と、よりなるループ状つまみ作成機能を備えることを特徴とする請求項１又は２に記載の手持ち式テープカッターである。
【発明の効果】
【００１２】
前記構成により、この発明は、以下のような効果を有する。
【００１３】
請求項１に記載の発明では、テープカッターに装着する粘着テープのテープ切断部を挟持する一対の左右側板のそれぞれの内面に円筒状フランジを一体に突出し、この円筒状フランジ同志を互いに嵌合することにより大径粘着テープを支持する大径テープ保持部を備えたテープカッター本体であって、
前記テープ切断部と前記大径テープ保持部との中間で、かつ前記テープ切断部より下方に小径粘着テープを回転自在に支持する小径テープ保持部を配設し、
前記円筒状フランジの前半周の上下を切欠いて円弧状フランジを形成し、前記円筒状フランジ同志が嵌合することにより上下の前記切欠きが上挿通孔と下挿通孔になり、前記小径粘着テープが前記上挿通孔と前記下挿通孔とを通過して、前記円弧状フランジが前記小径粘着テープを支持する前記小径テープ保持部となることで、構造が簡単で小径粘着テープを装着でき、しかも、小径粘着テープの半分程度が円筒状フランジの内方に収まるので、大径テープ保持部からテープ切断部までの前後間隔が短縮され、手持ち式テープカッターが小型化できる。
【００１４】
請求項２に記載の発明では、前記テープ切断部より下方に前記小径テープ保持部を配設し、前記小径粘着テープに作用する張力により前記小径粘着テープの内周面が前記円弧状フランジの一端に当接するように前記上方挿通孔と前記下方挿通孔が開口されたことで、前記小径粘着テープに作用する張力により前記小径粘着テープが上方に移動すると、前記小径粘着テープの内周面が前記円弧状フランジの他端とは非接触状態になり、前記小径粘着テープの回転時の接触抵抗が軽減され小径粘着テープの回転が円滑になる。
【００１５】
請求項３に記載の発明では、一対の前記左右側板間に挟持される前記切断部が、後方下向きに傾斜したテープセット面を有するベース板と、鋸刃状のテープ切断刃と、このテープ切断刃を前記テープセット面に向かい移動させる可動板と、よりなるループ状のつまみ作成機能を備えたので、大径粘着テープ、小径粘着テープのいずれでも粘着面が確実に前記ベース板のテープセット面に接着され、このテープセット面に向かいテープ切断刃を移動させる簡単な操作で粘着テープに迅速かつ確実にループ状つまみを作成することができる。
【００１７】
また、ループ状つまみを作成するテープ切断刃を移動させるためにテープ切断部が前方に延びるが、小径粘着テープの半分程度が円筒状フランジの内方に収まるので、大径テープ保持部からテープ切断部までの前後間隔が短縮され、手持ち式テープカッターの大型化を抑えることができる。
【図面の簡単な説明】
【００１８】
【図１】手持ち式テープカッターの全体構成を示す斜視図である。
【図２】手持ち式テープカッターの左側板を示す斜視図である。
【図３】手持ち式テープカッターの右側板を示す斜視図である。
【図４】大径粘着テープを装着した状態を示す断面図である。
【図５】小径粘着テープを装着した状態を示す断面図である。
【図６】手持ち式テープカッターのループ状つまみ機構の斜視図である。
【図７】図６のＡ−Ａ線の断面図である。
【図８】粘着テープにループ状つまみを作成する状態を説明する図である。
【発明を実施するための形態】
【００１９】
以下、この発明の手持ち式テープカッターの実施の形態について説明する。
この発明の実施の形態は、発明の最も好ましい形態を示すものであり、この発明はこれに限定されない。
【００２０】
この実施の形態の手持ち式テープカッターのテープカッター本体を、図１乃至図８に基づいて説明する。図１はテープカッター本体の全体構成を示す斜視図、図２はテープカッター本体の左側板を示す斜視図、図３（a）はテープカッター本体の右側板の外面を示す斜視図、図３（b）はテープカッター本体の右側板の内面を示す斜視図、図４は大径粘着テープを装着した状態を示す断面図、図５は小径粘着テープを装着した状態を示す断面図、図６は粘着テープのループ状つまみ作成機構の斜視図、図７は図６のＡ−Ａ線の断面図、図８は粘着テープにループ状つまみを作成する状態を説明する図である。
【００２１】
この実施の形態のテープカッター本体１はプラスチック製の一対の左右側板２、３からなり、この左右側板２、３は粘着剤が塗布されたロール状の粘着テープTを切断するテープ切断部１０を挟持する。
この実施の態様ではテープ切断部１０に後述する前記粘着テープＴの切断端に折り返しを形成するループ状つまみ作成機構２０を備えているが、これに限定されることなく、前記テープ切断部１０に前記ループ状つまみ作成機能２０を備えなくてもよい。
【００２２】
前記左右側板２、３のそれぞれの内面に円筒状フランジ６１を突出し、この各円筒状フランジ６１同志を嵌合して、大径粘着テープＴｍを回転自在に支持する大径テープ保持部６を形成する。
【００２３】
前記テープ切断部１０と前記大径テープ保持部６との中間で、かつ前記テープ切断部１０より下方に、小径粘着テープＴｎを回転自在に支持する小径テープ保持部７が配設される。
【００２４】
前記各円筒状フランジ６１の前半周において上下を切欠き８、この上下切欠き８により円弧状フランジ７１が形成される。
前記各円筒状フランジ６１同志が嵌合することにより、上下の前記切欠き８が上挿通孔８aと下挿通孔８bになる。この上挿通孔８aと下挿通孔８bを前記小径粘着テープＴｎが通過して、前記円弧状フランジ７１が前記小径粘着テープＴｎを支持する前記小径テープ保持部７となる。
【００２５】
このように、前記小径テープ保持部７の前記円弧状フランジ７１は前記大径テープ保持部６の前記円筒状フランジ６１の前記切欠き８により形成されるので、部品点数が少なく構造が簡単になる。しかも、前記小径粘着テープＴｎの半分程度が前記円筒状フランジ６１の内方に収まるので、前記大径テープ保持部６から前記テープ切断部１０までの前後間隔が短縮され、手持ち式テープカッターが小型化できる。
【００２６】
前記上挿通孔８aと前記下挿通孔８bの開口は、前記小径粘着テープＴｎに作用する張力により前記小径粘着テープＴｎが上方に移動できる大きさに設定されている。このため、前記小径粘着テープＴｎに作用する張力により前記小径粘着テープＴｎが上方に移動すると、前記小径粘着テープＴｎの内周面は前記円弧状フランジ７１の下端に当接し、前記円弧状フランジ７１の上端とは非接触状態になり、前記小径粘着テープの回転時の接触抵抗が軽減され小径粘着テープの回転が円滑になる。
特に、前記円弧状フランジ７１の両端を角丸等の面取りをすると、前記小径粘着テープＴｎの内周面に引っかかることがなく、前記小径粘着テープの回転が円滑になる。
【００２７】
前記右側板３は前記カッター切断部１０を有する右前側板３aと前記円筒状フランジ６１を有する右後側板３bとに分割される。前記右前側板３aの下部には係合孔５が穿設され、この係合孔５に前記右後側板３bの下部に設けた突出ピン４を差し込むとともに、前記右後側板３に突出した前記円筒状フランジ６１を前記左側板２に突出した前記円筒状フランジ６１に嵌合させる。
【００２８】
前記右後側板３bが前記左側板２に対して着脱可能に組付けられ、前記大径テープ保持部６に支持された前記大径粘着テープＴｍを取り外し、前記小径テープ支持部７に前記小径粘着テープＴｎを取り付けることができる。
なお、前記左右側板２、３には前記テープカッター本体１を持ち易くするための開口９を設ける。
【００２９】
前記テープ切断部１０のループ状つまみ作成機構２０は、後方下向きに傾斜する平面状のテープセット面１１ａを有し、一対の前記左右側板２、３を互いに連結するベース板１１と、前記テープセット面１１ａの後端縁に対して上方位置に移動可能な鋸刃状のテープ切断刃１２と、前記テープ切断刃１２を回動可能に保持し接着位置と切断位置に移動可能に配置される可動板１４と、前記可動板１４を切断位置に位置決める規制板１８と、前記テープ切断刃１２を常に切断位置に付勢する付勢手段１３とを備える。
【００３０】
前記テープ切断刃１２は打ち抜き板金材よりなり、前記粘着テープＴを所定長さに切断するため、図６及び図７に示すように第１折り曲げ面１２bと、第２折り曲げ面１２ｃとを有し、先端１２aが鋸刃状に形成され、この先端１２ａと反対側に基端１２ｄが前記ベース板１１の幅に応じた形状になっている。
【００３１】
前記第２折り曲げ面１２ｃの両側部には、打ち抜き板金を筒状もしくは「く」の字に曲げて支軸１２ｅ，１２fが一体に形成され、一方の支軸１２ｅの根元が切り欠かれている。
なお、前記支軸１２ｅ，１２fは、前記第２折り曲げ面１２ｃと別体に形成し、前記第２折り曲げ面１２ｃに固着してもよい。
【００３２】
前記可動板１４の上端の角に沿うように前記第２折り曲げ面１２ｃを設置し、前記可動板１４の両側面にボス１５を設け、前記第２折り曲げ面１２ｃに突出した前記支軸１２ｅ、１２fが前記可動板１３の両側面に設けた前記ボス１５に支持され、前記テープ切断刃１２を前記可動板１４の上部に回動自在にする。
【００３３】
前記可動板１４の前記ボス１５は、一対の前記左右側板２、３の後部に穿設する円弧状開口１６に前後移動可能に嵌合され、さらに前記可動板１４の下端に設けた回動軸１７が一対の前記左右側板２、３の後部に支持される。
【００３４】
前記テープ切断刃１２を前記可動板１４の方向に押されるように前記テープ切断刃１２と前記可動板１４との間に介在した前記付勢手段１３は、コイルスプリング１３aで構成される。この前記コイルスプリング１３aは、前記支軸１２ｅの根元の切り欠に装着され、前記コイルスプリング１３aの一端を前記可動板１４に、他端を前記テープ切断刃１２に係止し、前記コイルスプリング１３aの付勢力により、前記テープ切断刃１２の前記先端１２ａに対して反対側の前記基端１２ｄが前記ベース板１１に設けたストッパー１９に当接する。
【００３５】
前記テープ切断刃１２の前記基端１２ｄが前記ストッパー１９により上方への移動が規制されることにより、前記テープ切断刃１２と前記可動板１４とを前記コイルスプリング１３aにより常に切断位置の方向へ付勢される。    
前記可動板１４は一対の前記左右側板２、３間の下部に横架した規制板１８に当接し、この規制板１８によって可動板１４が切断位置に位置決めされる。
【００３６】
このように、切断位置と接着位置間を移動する前記テープ切断刃１２の両側は一対の前記左右側板２、３の後部で覆われることで、前記テープ切断刃１２に触れることに注意を払うことなくつまみを作成することができる。また、前記可動板１４や前記テープ切断刃１２を一対の前記左右側板２、３の後部によって保護され、前記可動板１４や前記テープ切断刃１２の可動が異物により阻止されることを防ぐことができる。
【００３７】
前記ループ状つまみ作成機構２０を用いて粘着テープＴにループ状つまみを作成する場合には、図８に示すように、テープカッター本体１の大径テープ保持部６または小径テープ保持部７から大径粘着テープＴｍまたは小径粘着テープＴｎ（以下粘着テープＴという。）を引き出し、これらの粘着テープＴを切断位置に位置するテープ切断刃１２によって切断する（図８（ａ））。
【００３８】
この切断は、テープ切断刃１２の先端１２ａと反対側の基端１２ｄをストッパー１９に当接し、可動板１４は切断位置にしてテープ切断刃１２の先端１２ａを立てた状態であり、テープカッター本体１から引き出した粘着テープＴの粘着面Ｔｂをベース板１１のテープセット面１１ａに接着させるとともに、テープ切断刃１２の先端１２ａで切断する。
【００３９】
そして、可動板１４を指によって押すなどによってベース板１１に近接させると、この可動板１４を接着位置に移動させるに従いテープ切断刃１２が付勢手段１３の付勢力に抗してテープ切断刃１２の基端１２ｄがストッパー１９の下方にスライドし、テープ切断刃１２の先端１２ａを立てた状態から支持軸１２ｅ、１２fを支点にして回転し、テープ切断刃１２の先端１２ａをテープセット面１１ａの後端縁に対して上方に位置するように移動させる（図８（ｂ））。
【００４０】
このように可動板１４をベース板１１の方向へ移動させ、テープ切断刃１２の基部１２ｄがストッパー１９の下方にスライドして移動し、テープ切断刃１２の基端１２ｄがストッパー１９に当り、さらに可動板１４を移動させるとテープ切断刃１２の中央部が押されるこれにより、テープ切断刃１２は、先端１２aがベース板１１のテープセット面１１ａに近づくように回転する。
【００４１】
このとき、粘着テープＴがループ状になり、テープ切断刃１２の先端に付着している粘着テープＴの粘着面Ｔｂがテープセット面１１ａに付着している部分の上方位置から粘着テープＴの粘着面Ｔｂに接着し、さらにテープ切断刃１２の回転により先端１２aに接着している粘着テープＴの粘着面Ｔｂが接着し、ループ状のつまみＴｃを作成する（図８（ｃ））。
【００４２】
この状態で、指などによって可動板１４を接着位置に位置させている力を解除すると、付勢手段１５の付勢力によりテープ切断刃１２が逆方向に支持軸１２ｅ、１２ｆを支点にして回転し、テープ切断刃１２の基端１２ｄがストッパー１９の下方を逆方向へスライドして可動板１４を接着位置から切断位置へ移動する。これにより、テープ切断刃１２の先端１２ａが粘着テープＴの切断部Ｔａから剥離し、テープ切断刃１２の先端１２ａを立てた状態の切断位置へ復帰する（図８（ｄ））。
【００４３】
このテープ切断刃１２が回転して切断位置に復帰した状態では、粘着テープＴの粘着面Ｔｂがテープセット面１１ａに接着しており、テープ切断刃１２が切断部Ｔａの粘着面Ｔｂから離間し、粘着テープＴがループ状になりつまみＴｃが形成される。
【００４４】
このとき、付勢手段１３の付勢力によりテープ切断刃１２を接着位置から離間させる方向に付勢しており、テープ切断刃１２の先端１２ａが粘着テープＴの切断部Ｔａから離間して切断位置に復帰し、可動板１４が規制板１８により切断位置に保持されていることで（図８（ｄ））、ループ状のつまみＴｃを摘み粘着テープＴをテープカッター本体１から引き出してテープ切断刃１２により切断することができる。
【００４５】
このように、簡単な操作で、テープ切断刃１２の先端１２ａをテープセット面１１ａの後端縁に対して上方に位置させ、粘着テープＴの切断部Ｔｂを、テープセット面１１ａの後方位置のテープＴに接着させ、迅速かつ確実にループ状のつまみＴｃを作成することができる。
【００４６】
この実施の形態では、可動板１４を指によって押すなどによってベース板１１に近接させるが、粘着テープＴの切断部Ｔａとテープ切断刃１２の先端１２ａと共に可動板１４を指によって押すなどによってベース板１１に近接させることが好ましく、メンディングテープのような硬くて張りのある粘着テープでも安定してループ状のつまみを作成することができる。
【００４７】
しかも、支持軸１２ｇ、１２ｈを支点にテープ切断刃１２が回転可能に設けられており、粘着テープＴの先端部とテープ切断刃１２とが可動板１４と共に押される際に回転してテープ切断刃１２の鋸刃が押した指よりも先に離れて逃げ、指に尖った刃が当たる感触が緩和される。
【００４８】
また、ベース板１１のテープセット面１１aは後方下向きに傾斜する平面状なので、テープカッター本体１から引き出した粘着テープＴの粘着面Ｔｂをベース板１１のテープセット面１１ａに接着し易くなり、特に、テープ切断部１０より下方に配設される小径粘着テープＴｎでは粘着面Ｔｂが確実に接着されることになり、ループ状のつまみＴｃを容易に作成することができる。
【００４９】
さらに、ループ状のつまみＴｃを作成するためにテープ切断刃１２をテープセット面１１aに移動させるので、テープ切断部が前後方向に長くなるが、小径粘着テープＴｎの半分程度が円筒状フランジ６１の内方に収まるので、大径テープ保持部６からテープ切断部１０までの前後間隔が短縮されることにより手持ち式テープカッターの大型化を抑えることができる。
【産業上の利用可能性】
【００５０】
大径粘着テープの装着のみではなく、大径粘着テープから小径粘着テープの装着に取り換えることが容易にできる手持ち式テープカッターを提供する。
【符号の説明】
【００５１】
１    テープカッター本体
２    左側板 
３    右側板
３a    右前側板
３b    右後側板
４    突出ピン
５    係合孔
６    大径テープ保持部
６１  円筒状フランジ
７    小径テープ保持部
７１  円弧状フランジ
８    切欠き
８a  上挿通孔
８b  下挿通孔
１０  テープ切断部
１１  ベース板
１１ａ  テープセット面
１２  テープ切断刃
１２a  テープ切断刃の先端
１２b  第１折り曲げ面
１２c  第２折り曲げ面
１２d  テープ切断刃の基端
１２e、１２f  支軸
１３  付勢手段
１３a  コイルスプリング
１４  可動板
１５  可動板のボス
１６  円弧状孔
１７  回動軸
１８  規制板
１９  ストッパー
２０  ループ状つまみ作成機構
Ｔ  粘着テープ
Ｔｍ  大径粘着テープ 
Ｔｎ  小径粘着テープ
Ｔａ  テープＴの切断部
Ｔｂ  テープＴの粘着面
Ｔｃ  テープＴのつまみ
【図１】
0005557400.tif 000002
【図２】
0005557400.tif 000003
【図３】
0005557400.tif 000004
【図６】
0005557400.tif 000005
【図７】
0005557400.tif 000006
【図４】
0005557400.tif 000007
【図５】
0005557400.tif 000008
【図８】
0005557400.tif 000009